(57)【要約】      （修正有）【課題】蓄電池のバッテリー液の注入および／または補充の作業を効率化するために、蓄電池の液口栓を着脱する作業に便利なバッテリー液用容器のキャップを提供する。【解決手段】バッテリー液用容器のキャップの頂面部に、蓄電池の液口栓に設けられているコイン溝に嵌合する突起を形成した。【選択図】図１
0003156329.tif 000002
【実用新案登録請求の範囲】
【請求項１】
頂面部に蓄電池の液口栓の液口栓着脱用溝に嵌合する突起を備えた、バッテリー液用容器のキャップ。
【考案の詳細な説明】
【技術分野】
【０００１】
本考案は、バッテリー液用容器のキャップに関し、特には、蓄電池液口栓着脱用嵌合突起を備えたバッテリー液用容器のキャップに関するものである。
【背景技術】
【０００２】
蓄電池使用の際、バッテリー液を注入したり、使用過程で減少したバッテリー液を補充したりする必要があり、蓄電池頂面部にはこれらをおこなう為の液口栓が設けられており、液口栓を着脱することでバッテリー液の注入や補充がおこなわれる。近年、液口栓の頭部に、液口栓の着脱の便のために、＋（プラス）形状のコイン溝が形成されたものが多くみられ、この溝に嵌合するコインまたはこれに準ずる治具（たとえば、通常のドライバー、または実開平6−６８３００号公報で開示されている蓄電池液口栓着脱冶具）を使用して、液口栓の着脱がおこなわれている。
【０００３】
また、蓄電池には、希硫酸を主成分とする電解液、および蓄電池の使用中に蒸発した水分を補給するための蒸留水などが使用されるが、これらは総称してバッテリー液と呼ばれる。最初にバッテリー液を蓄電池に注入するとき、あるいは蓄電池の使用過程で減少したバッテリー液を補充したりするときには、バッテリー液を収納してある容器などから注入や補充が行われる。これらの容器には、バッテリー液と空気中の水分との接触を避けるなどの目的で、キャップが用いられ、バッテリー液の注入や補充はこのキャップを開閉して行われる。中身のバッテリー液が完全に使用された後には、このキャップは容器とともに廃棄物として廃棄される。
【先行技術文献】
【特許文献】
【０００４】
【特許文献１】実開平６−６８３００号公報
【考案の概要】
【考案が解決しようとする課題】
【０００５】
蓄電池へバッテリー液を注入したり、補充するときには、蓄電池の液口栓を着脱する必要があるが、そのためには、液口栓に設けられた＋形状の溝に嵌合するようなコインまたはこれに準ずる冶具等を前もって用意する必要があり、必ずしも作業性に優れているとは言えないという問題があった。
【０００６】
また、バッテリー液を収納した容器のキャップは、バッテリー液の使用後は、その容器とともに廃棄物として廃棄され、資源の有効活用という点で問題があった。
【０００７】
そこで、本考案は、蓄電池のバッテリー液の注入および／または補充の作業の効率化のために、液口栓を着脱する作業に便利な冶具が手軽に入手できること、および資源の有効活用の観点から、廃棄物とならないバッテリー液用容器のキャップを提供することを目的とする。
【課題を解決するための手段】
【０００８】
本考案は、上記のような課題を解決するために、従来知られている電池用バッテリー液用容器のキャップの頂面部に、液口栓に設けられているコイン溝に嵌合する突起を形成したことを特徴とする。
【考案の効果】
【０００９】
本考案の蓄電池液口栓着脱用嵌合突起を備えたバッテリー液用容器のキャップは、従来と同じように、バッテリー液用容器のキャップとして用いることができるだけでなく、バッテリー液が使用された後も廃棄物として廃棄されることなく工具箱などの中にその後の使用のために保管され、蓄電池の液口栓の着脱の作業において、この容器のキャップに設けられた勘合突起を用いて液口栓を着脱する冶具として用いることができる。このため、コインやそれに準ずる治具を前もって用意しておく必要がなく、作業の時間短縮など、作業の効率化に繋がる。
【００１０】
また、本考案の容器のキャップは、バッテリー液を注入および／または補充する必要が生じたときに、使用しようとするバッテリー液の容器から外して蓄電池液口栓着脱操作に用いることができ便利である。バッテリー液が完全に使用し尽くされないときにはふたたびキャップとして使用でき、バッテリー液が完全に使用し尽くされた場合には、容器のキャップとしては不要となるが、そのまま廃棄物として廃棄されることなく、工具箱などの中にその後の使用のために保管される。このため、廃棄物として廃棄されず、資源の有効利用が促進される。
【００１１】
さらには、従来一般的とは言えなかった液口栓の着脱を容易にする治具が、バッテリー液などの容器にキャップとして付属していることにより、液口栓の着脱のための冶具が電池取扱作業者の身近に存在することとなる。そのことにより液口栓の着脱作業に対する負担感が減り、その容易さ故にバッテリー液を補充する頻度や回数が増え、蓄電池に起因する故障等の減少が見込めるであろう。
【００１２】
これらの本考案による効果は、従来知られていた容器のキャップの頂面部に、液口栓に設けられている着脱用溝に嵌合する突起を備えるという着想により達成されたものであり、本考案により得られる経済的効果、および実用的価値は大きい。
【図面の簡単な説明】
【００１３】
【図１】本考案の容器のキャップを、バッテリー液を収納する容器のキャップとして使用するときの概念図である。
【図２】本考案の容器のキャップを、蓄電池の液口栓の着脱操作に使用するときの概念図である。
【考案を実施するための形態】
【００１４】
添付図１〜２を参照して、説明する。
本考案の容器のキャップ１は、バッテリー液用容器４のためのキャップの頂面部に、蓄電池３の液口栓５のコイン溝６に勘合するような突起２を備えたことを特徴とし、その頂面部のコイン溝６に勘合する突起２を利用して、蓄電池液口栓５を着脱するときの冶具として使用することができる。
【００１５】
本考案の容器のキャップの頂面部に形成される突起２は、蓄電池３の液口栓５の＋形状のコイン溝６に嵌合し、液口栓着脱の操作を実行し得るものであればよく、材質、大きさ、高さ、幅、形状などに制限はない。本明細書では、液口栓のコイン溝を＋形状であるとして説明したが、これに限るわけではなく、単に−（マイナス）形状であってもよい。
【００１６】
本考案の容器のキャップの形状は、容器に適合するような容器のキャップの形状であればよく、特段の制限はない。さらに、その内側に、容器の閉塞のためのねじなどの機能を備えてもよく（図２参照）、容器のキャップを開栓しやすくするための溝状のすじなどをその外部に備えてもよい。
【００１７】
本考案の容器のキャップが用いられるバッテリー液の容器については、バッテリー液を収納し得る容器であればよく、好ましくは、びんであるがその形態に特段の制限はない。もっとも普通に用いられているのは、塩化ビニルなどを用いたプラスチック製のびんである。
【００１８】
前述のように、バッテリー液の容器としては、塩化ビニルなどを用いたプラスチック製のびんが普通に用いられており、容器のキャップも同様なプラスチックで作られることが多いが、本考案の容器のキャップは、使用される容器に適したものであればよく、その材質に特段の制限はない。
【００１９】
本考案のキキャップは、従来の容器のキャップと同様に、樹脂を用いて押し出し成形法などで形成し得るが、その製法はこれに限るものではない。
【００２０】
上記では、本考案のキャップは、バッテリー液用容器のキャップとして説明したが、自動車の整備工場で普通に見かけられる液体用容器としては、ウィンドウ洗浄液、ラジエータ用液などの容器もあり、本考案のキャップはこれらの容器にも用いることができ、蓄電池液口栓を着脱するための冶具が手近にある点で、便利であることは同じである。従って、本考案の「バッテリー液」の表現には、これらの自動車用液体も含まれると理解されるべきである。
【産業上の利用可能性】
【００２１】
本考案の容器のキャップは、蓄電池のバッテリー液用容器のキャップとして使用できるだけでなく、蓄電池のバッテリー液などの注入および／または補充作業において、蓄電池の液口栓の着脱操作用の冶具として使用できる。
【符号の説明】
【００２２】
１    キャップ
２    突起
３    蓄電池
４    容器
５    液口栓
６    コイン溝
【図１】
0003156329.tif 000003
【図２】
0003156329.tif 000004